(57)【要約】      （修正有）【課題】軽量で通気性があり、耐久性に優れ、乳房形状を魅力的に見せるファンデーション用のシームレスカップを提供する。【解決手段】カップ表側の発泡ウレタン成形体２とカップ裏側の不織布繊維の綿状体から形成のカップ１ａで、表側の発泡ウレタン成形体２のカップ中央部４は微細な連続気泡の肉厚の膨らみ４ａを有し、カップ周辺部５は連続気泡の膨らみからなる肉厚部４ａが熱圧着で肉薄部６ａに形成され、裏側の不織布繊維の綿状体のカップ中央部４はダーツ７による上下方向の凹み７ａを有する不織布繊維の綿状体の膨らみからなる肉厚部４ｂを有し、カップ周辺部５は発泡ウレタン成形体２の肉薄部６ａと不織布繊維の綿状体の肉薄部が熱圧着で一体的な当接部６に形成される。【選択図】図３
0003162807.tif 000002
【実用新案登録請求の範囲】
【請求項１】
ブラジャーやカップ付きキャミソールなどのファンデーション用のカップにおいて、カップ表側に発泡ウレタン成形体を、カップ裏側に不織布繊維の綿状体を配設し、カップ表側の発泡ウレタン成形体は、カップ中央部を微細な連続気泡の膨らみからなる肉厚部と、この膨らみからなる肉厚部のカップ中央部からカップ周辺部になるにつれて熱加圧により徐々に厚みを薄く形成してカップ周辺部を発泡ウレタン成形体からなる熱圧着による肉薄部とし、一方、カップ裏側の不織布繊維の綿状体は、カップ中央部を上下方向にダーツの縫い込みによる凹みと、このダーツの縫い込みによる凹みの左右は不織布繊維の綿状体からなる膨らみの肉厚部と、この膨らみの肉厚部の周辺のカップ周辺部を不織布繊維の綿状体の熱圧着による肉薄部とから形成され、これらのカップ表側の発泡ウレタン成形体のカップ周辺部の熱圧着による肉薄部とカップ裏側の不織布繊維の綿状体のカップ周辺部の熱圧着による肉薄部は、熱加圧成形時の熱圧着による一体的な当接部に形成されていることを特徴とするブラジャーやカップ付きキャミソールなどのファンデーション用のシームレスカップ。
【請求項２】
熱加圧成形時の熱圧着による一体的な当接部は、カップ表側の発泡ウレタン成形体のカップ周辺部の熱圧着による肉薄部とカップ裏側の不織布繊維の綿状体のカップ周辺部の熱圧着の肉薄部との間に接着剤を配設して熱圧着により形成されていることを特徴とする請求項１に記載のブラジャーやカップ付きキャミソールなどのファンデーション用のシームレスカップ。
【請求項３】
カップ表側の発泡ウレタン成形体とカップ裏側の不織布繊維の綿状体は、カップ周辺部で熱圧着による当接部に形成されており、カップ表側の発泡ウレタン成形体とカップ裏側の不織布繊維の綿状体は、カップ中央部が離間した空間に形成されていることを特徴とする請求項１又は２に記載のブラジャーやカップ付きキャミソールなどのファンデーション用のシームレスカップ。
【考案の詳細な説明】
【技術分野】
【０００１】
この考案は、女性の乳房の形状を補整するためのブラジャーのカップ部やカップ付きキャミソールなどの内側の乳房の形状を補整するためにカップ部に装着するカップ状の発泡ポリウレタン成形体と、このカップ状の発泡ポリウレタン成形体の裏側に有する不織布繊維の綿状体からなる、機能性に優れたファンデーション用のシームレスカップに関する。
【背景技術】
【０００２】
従来の女性の乳房の形状を補整するためのブラジャーやカップ付きキャミソールなどのファンデーションである下着は、その上に着用した衣服にバストの姿を魅力的なものとするために、乳房の形状を補整し、あるいは乳房をバストの中央部に寄せるなどで、バストラインを整え、そのバストラインが衣服の外側に現れるように、様々な工夫が行われている。
【０００３】
この様な工夫の一つとして、カップ部を有するブラジャーにおいて、カップ部に装着するカップを発泡ポリウレタンから形成し、この発泡ポリウレタンのカップを有するブラジャーのカップ部の脇部からカップ部の中央部付近にかけて、カップ部の内部に非伸縮性の芯地を入れて埋設し、カップ部のずり上がりや横方向の引張りに対して抑制可能とし、バストの寄せ効果を図って着用感を向上したものが提案されている（例えば、特許文献１参照。）。しかし、これはカップ部の内部に非伸縮性の芯地を入れて埋設しているので、乳房を下部から脇部にかけて支持する力は強いが、非伸縮性の芯地のためにその部分の柔軟性に欠ける。
【０００４】
さらに、ブラジャーなどのカップ部の中心又はパッドとして使用するカップにおいて、発泡ポリウレタンのシートからなるカップ表面に植毛したカップとし、さらにカップの中央部の盛り上がり部の肉厚および気泡孔を大とし、周縁部に至るに従って肉厚および気泡孔を小としたカップが提案されている（例えば、特許文献２参照。）。これはカップの中央の盛り上がり部で、発泡ポリウレタンの肉厚および気泡孔を大とし、周縁部に至るに従って肉厚および気泡孔を小としているので、中央の盛り上がり部は柔軟性およびフィット性に優れるとされている。
【０００５】
上述の発泡ウレタンからなるカップの素材は、カップの中央部と周縁部というような大まかな面積方向における素材性質の差異について工夫したものであって、素材の厚さ方向における素材の性質の差異についての工夫は考慮されていない。
【０００６】
これらのカップ部に使用の発泡ウレタンからなる素材は、連続気泡からなる発泡ウレタンの表面および裏面に、ポリエステル繊維糸などから、それぞれ異なる編み方で編んだ表面用編地および裏面用編地を糊付けなどによりラミネートし、例えば厚さ１４．５ｍｍの発泡ウレタンからなる素材の表裏面に編地をラミネートして形成されている。この編地を表裏面にラミネートした発泡ウレタンからなる素材を金型内に装着し、熱成形により周縁部を例えば厚さ０．８ｍｍに圧着してシームレスとし、中央部を厚さ約７ｍｍに圧縮成形してブラジャーなどのカップ部に挿入するカップとしている。しかし、このカップからなる従来のシームレスカップは、身体に装着した場合に、種々多様な風合いをもたらす構造のものとなっていなかった。
【０００７】
さらに、従来のカップの素材である連続気泡からなる通常の発泡ウレタンに変えて、低反発性の発泡ウレタンからなる素材をカップ素材に用い、その表面および裏面にそれぞれ異なる編み方からなる表面用編地および裏面用編地をラミネートして厚さ１４．５ｍｍのカップ素材に形成し、その後に上記のカップと同様に、表面用編地および裏面用編地をラミネートして厚さ１４．５ｍｍのカップ素材を金型内に装着して熱成形により周縁部をシームレスとして厚さ０．８ｍｍに圧着し、中央部を厚さ約７ｍｍに圧縮成形してカップとしている。
【０００８】
ところで、この低反発性の発泡ポリウレタンからなるシームレスカップは特殊な風合いの反発性があって乳房に優しい面があるが問題も多々ある。例えば（１）早く黄変する。（２）低反発性の発泡ポリウレタンのみで成形すると破れてしまいやすく、このために表裏面に編地をラミネートする必要がある。（３）特殊な反発性があるので、厚さ約１４．５ｍｍにスライスする際に、３０〜６０ｍの長尺のものからスライスすることが困難であり、従って２〜４ｍの短尺にスライスし、これらを長尺につなぎ合わせて表裏面に編地をラミネートする。しかし、このものは繋ぎ目が多く生じてその部分がロスとなる。（４）さらに、この低反発性のポリウレタンスライスの表裏面に編地をラミネートする際に、ラミネートの接着力を高めるために、ラミネート工程で多くの糊量を必要とするので、糊の染み出しが発生しやすくなる。（５）気温が上がると低反発性の発泡ウレタンは硬くなるのでスライスなどの２次加工がしにくい。
【０００９】
そこで、出願人は上記の問題点を改良するものとして、表面編地をラミネートした通常の発泡ウレタンからなる表側外層と、低反発性の発泡ポリウレタンの中間層と、裏面編地をラミネートした裏側外層からなる３層構造のカップ成形体とし、低反発性の発泡ウレタンの風合いを有しながら黄変を見え難くし、成形時の破れが無く、着用時にフィット性に優れた乳房形状のシームレスカップを開発している（例えば、特許文献３参照。）。しかしながら、より一層の着用時の通気性とフィット性にすぐれ、さらに乳房形状を魅力のあるものとすることができるカップが求められている。
【先行技術文献】
【特許文献】
【００１０】
【特許文献１】特開２００７−３０３０１０号公報
【特許文献２】実開昭５０−１０７７２３号公報
【特許文献３】実用新案登録第３１５０７９３号公報
【考案の概要】
【考案が解決しようとする課題】
【００１１】
本考案の解決しようとする課題は、女性の乳房の形状を補整するためのブラジャーやカップ付きキャミソールなどの内側の乳房形状のカップ部に装着する発泡ポリウレタン成形体からなり、中央部に厚さを有しながら軽量であり、通気性があって蒸れることがなく、カップ表側は硬くカップ裏側は乳房の肌に優しく当接し、カップ部のボリュームアップが容易で、洗濯の耐久性に優れているなど機能性が向上され、しかも、乳房形状を魅力的に見せるファンデーション用のシームレスカップを提供することである。
【課題を解決するための手段】
【００１２】
上記の課題を解決するための本考案の手段は、本考案の請求項１の手段では、ブラジャーやカップ付きキャミソールなどのファンデーション用のカップにおいて、カップ表側１ｂに発泡ウレタン成形体２を、カップ裏側１ｃに不織布繊維の綿状体３を配設し、カップ表側１ｂの発泡ウレタン成形体２は、カップ中央部４を微細な連続気泡の膨らみからなる肉厚部４ａと、この膨らみからなる肉厚部４ａのカップ中央部４からカップ周辺部５になるにつれて熱加圧により徐々に厚みを薄く形成してカップ周辺部５を発泡ウレタン成形体２からなる熱圧着による肉薄部６ａとし、一方、カップ裏側１ｃの不織布繊維の綿状体３は、カップ中央部４を上下方向にダーツ７の縫い込みによる凹み７ａと、このダーツ７の縫い込みによる凹み７ａの左右は不織布繊維の綿状体３からなる膨らみの肉厚部４ｂと、この膨らみの肉厚部４ｂの周辺のカップ周辺部５を不織布繊維の綿状体の熱圧着による肉薄部６ｂとから形成され、これらのカップ表側１ｂの発泡ウレタン成形体２のカップ周辺部５の熱圧着による肉薄部６ａとカップ裏側１ｃの不織布繊維の綿状体３のカップ周辺部５の熱圧着による肉薄部６ｂは、熱加圧成形時の熱圧着による一体的な当接部６に形成されていることを特徴とするブラジャーやカップ付きキャミソールなどのファンデーション用のシームレスカップ１である。
【００１３】
請求項２の手段では、熱加圧成形時の熱圧着による一体的な当接部６は、カップ表側１ｂの発泡ウレタン成形体２のカップ周辺部５の熱圧着による肉薄部６ａとカップ裏側１ｃの不織布繊維の綿状体３のカップ周辺部５の熱圧着の肉薄部６ｂとの間に接着剤を配設して熱圧着により形成されていることを特徴とする請求項１の手段のブラジャーやカップ付きキャミソールなどのファンデーション用のシームレスカップ１である。
【００１４】
請求項３の手段では、カップ表側１ｂの発泡ウレタン成形体２とカップ裏側１ｃの不織布繊維の綿状体３は、カップ周辺部５で熱圧着による当接部６に形成されており、カップ表側１ｂの発泡ウレタン成形体２とカップ裏側１ｃの不織布繊維の綿状体３は、カップ中央部４が離間した空間に形成されていることを特徴とする請求項１又は２の手段のブラジャーやカップ付きキャミソールなどのファンデーション用のシームレスカップ１である。
【考案の効果】
【００１５】
本考案のシームレスカップはブラジャーやカップ付きキャミソールなどのカップ部に装着するカップであり、このカップは女性の乳房の形状を外見上で美しく補整する機能を有し、このカップ表側は発泡ウレタン成形体からなっているので、その成形体の硬さを有し、一方、カップ裏側は不織布の繊維からなる綿状体であるので、乳房の肌に優しく当接し、かつ、中央部に厚さを有しながらも軽量であり、さらに通気性があって蒸れることがなく、さらに外観上の乳房のボリュームアップが自然にかつ容易に図られ、特にカップ裏側に有する不織布の繊維の綿状体によりカップを大きくプッシュアップしてボリュームアップが図られ、さらに裏側の不織布の繊維からなる綿状体のカップ中央に縦方向のダーツの縫い込みによる肉薄部としているので、洗濯時に不織布の繊維の綿状体の形状が崩れることなく耐久性の点で優れているなど、優れた機能を有し、しかも、乳房の形状を魅力的に見せるなどの点で優れている。さらに、請求項２の考案では、カップ表側の発泡ウレタン成形体とカップ裏側の不織布の繊維の綿状体からなるカップ周縁部を接着剤を介した熱圧着による当接部としているので、カップ表側の発泡ウレタン成形体とカップ裏側の不織布の成形体の一体化がより一層に強固であり、シームレスカップは耐久性で極めて優れたものとなっている。さらに請求項３の考案では、カップ中央部は、カップ表側の発泡ウレタン成形体とカップ裏側の不織布繊維の綿状体との間に離間した空間が設けられているので、外観上の乳房の形状はより一層にボリュームアップが図られている。
【図面の簡単な説明】
【００１６】
【図１】ブラジャーその他のファンデーションのカップ部に装着する本考案の右側用のカップ表側から見た平面図である。
【図２】図１に示す本考案の右側用のカップの裏側から見た平面図である。
【図３】図１に示す本考案の右側用のカップの上部から見た側面図である。
【図４】図２に示す右側用のカップ１ａのカップ裏側１ｃの成形体をＡ−Ａ線で垂直に切断して矢視方向に見た縦断面図である。
【考案を実施するための形態】
【００１７】
本考案を実施するための形態について、図面を参照して以下に説明する。
【００１８】
本考案の第１の形態では、ブラジャーやカップ付きキャミソールなどのファンデーションのカップ部に装着するためのカップ１ａであり、女性の乳房の形状である膨らみの形状を模したカップ１ａである。このカップ１ａは、例えば身体の右側に装着するカップ１ａで説明すると、そのカップ１ａはカップ表側１ｂの形状体とカップ裏側１ｃの形状体からなっている。
【００１９】
このうち右側用のカップ１ａのカップ表側１ｂの形状体は、図１に示すように、発泡ウレタン成形体２からカップ１ａに形成されている。この発泡ウレタン成形体２は内部が微細な連続気泡からなって通気性を良好なものとして形成されている。この微細な連続気泡を有する発泡ウレタン成形体２を、図示しない金型によりカップ状に加熱成形することで、カップ１ａのカップ中央部４を膨らみからなる肉厚部４ａに形成して、図３の下部に膨出させている。さらに、カップ１ａは、カップ中央部４からカップ周辺部５になるに連れて金型の熱加圧によって徐々に薄く形成され、カップ周辺部５は発泡ウレタン成形体２の内部の連続気泡が金型により熱圧着され、薄い板状に形成されて肉薄の発泡ウレタン成形体２からなる熱圧着による肉薄部６ａになっている。図１に示すカップ１ａでは、例えばブラジャーに装着されて着用したときの身体の胸の中央側になる部分を、胸中央側９として示し、身体の脇側になる部分を脇側１０として示している。
【００２０】
一方、右側用のカップ１ａのカップ裏側１ｃの成形体は、図２に示すように、不織布繊維の綿状体３からカップ１ａに形成されている。この不織布繊維の綿状体３は不織布繊維が綿状になっているので同じく通気性を良好なものとしている。この不織布繊維の綿状体３のカップ１ａのカップ中央部４は乳房の上辺から下辺へ上下方向にダーツ７を設けて綿状体３の表裏を縫製して縫い込みによる凹み７ａに形成している。このダーツ７の凹み７ａの部分の左右の中央部は、それぞれ不織布繊維の綿状体を、図示しない金型により、膨らみからなる肉厚部４ｂに加熱成形することで、図３に示すように、裏側の外側にまで膨出させて、身体に着用したときに乳房に柔らかく当接して適度に乳房の膨らみに押されて柔軟に内側へ凹むように形成されている。さらに、カップ１ａはカップ中央部４からカップ周辺部５になるに連れて金型の熱加圧によって徐々に薄く形成され、カップ周辺部５は不織布繊維の綿状体３が熱圧着されて薄い板状に形成されて、不織布繊維の綿状体３の熱圧着による肉薄部６ｂに形成されている。この図３のカップ１ａでは、例えばブラジャーに装着して着用したときの身体の胸の中央側になる部分を、胸中央側９として示し、身体の脇側になる部分を脇側１０として示している。
【００２１】
これらのカップ表側１ｂの発泡ウレタン成形体２のカップ周辺部４の熱圧着による肉薄部６ａとカップ裏側１ｃの不織布繊維の綿状体３のカップ周辺部５の熱圧着による肉薄部６ｂは、熱加圧によって成形する際に重ねて同時に金型で熱圧着することによって、シームレスで一体化され、一体的に圧接されて当接部６に形成されている。このようにして、ブラジャーやカップ付きキャミソールなどのファンデーション用のカップ部に装着するためのシームレスカップ１が形成されている。
【００２２】
これらの図２に示す右側用のカップ１ａのカップ裏側１ｃの成形体をＡ−Ａ線で垂直に切断して矢視方向に見た縦断面図を図４に示す。この図４の断面図に示すように、発泡ウレタン成形体２のカップ１ｂのカップ周辺部５である左右の上端の熱圧着による肉薄部６ａは、不織布繊維の綿状体３のカップ１ｃのカップ周辺部５である左右の上端の熱圧着による肉薄部と熱圧着による肉薄部６ｂと一体化されて当接部６となっている。また、発泡ウレタン成形体２のカップ１ｂの内側と、ダーツ７の縫い込みによる凹み７ａが形成されている不織布繊維の綿状体３のカップ１ｃの外側の間には、空隙８が形成されている。この空隙８により、カップ中央部４は、このシームレスカップ１をブラジャーなどとして身体に装着したときに、乳房を大きく見せる作用をする。また、カップ裏側１ｃの不織布繊維の綿状体３の中央部の膨らみと上記の空隙８により、乳房に優しく当接することができる。
【００２３】
さらに、本考案の第２の形態では、第１の形態における上記の熱加圧により成形する際に、熱加圧成形時の熱圧着による一体的な当接部６は、カップ表側１ｂの発泡ウレタン成形体２のカップ周辺部５の熱圧着による肉薄部６ａと、カップ裏側１ｃの不織布繊維の綿状体３のカップ周辺部５の熱圧着の肉薄部６ｂの両肉薄部の間に接着剤を塗布して熱圧着により形成されていることからなる請求項１の手段における、ブラジャーやカップ付きキャミソールなどのファンデーション用のシームレスカップ１である。
【００２４】
また、さらに本考案の第３の形態では、上記の第１あるいは第２の形態における上記の熱加圧により成形する際に、カップ表側１ｂの発泡ウレタン成形体２とカップ裏側１ｃの不織布繊維の綿状体３は、接着剤を用いることなく、カップ周辺部５で熱加圧にすることにより圧着されて、当接部６に形成されており、カップ表側１ｂの発泡ウレタン成形体２とカップ裏側１ｃの不織布繊維の綿状体３からなるカップ中央部４は離間して空間を内在して形成されていることからなる請求項１又は２の手段のブラジャーやカップ付きキャミソールなどのファンデーション用のシームレスカップ１である。
【００２５】
以上に記載のように、本考案のシームレスカップ１は形成されているので、ファンデーション用のカップ部に、このシームレスカップ１を装着したブラジャーやキャミソールなどのファンデーションを身体に着用するとき、身体のバストの形状を豊かに美しく見せ、さらに通気性に優れているので汗でむせることなく冷涼感がある。また、このシームレスカップ１は洗濯をしても、裏側の不織布繊維の綿状体３の部分が縫い込みによる凹み７ａからなるダーツ７を有するので形状が崩れることなく、長期間にわたって使用できる。
【符号の説明】
【００２６】
１  シームレスカップ
１ａ  カップ
１ｂ  カップ表側
１ｃ  カップ裏側
２  発泡ウレタン成形体
３  不織布繊維の綿状体
４  カップ中央部
４ａ  （発泡ウレタン成形体の）膨らみからなる肉厚部
４ｂ  （不織布繊維の綿状体の）膨らみからなる肉厚部
５  カップ周辺部
６  当接部
６ａ  （発泡ウレタン成形体の）熱圧着による肉薄部
６ｂ  （不織布繊維の綿状体の）熱圧着による肉薄部部
７  ダーツ
７ａ  （縫い込みによる）凹み
８  空隙
９  胸中央側
１０  脇側
【図１】
0003162807.tif 000003
【図２】
0003162807.tif 000004
【図３】
0003162807.tif 000005
【図４】
0003162807.tif 000006